(57)【要約】      （修正有）【課題】長い草は刈り難い、刈った後の長い草のため作業を続けられないこと、短い草の場合でも、根もとが残っているから、刈ってもすぐにまた草が伸びてくること、高速で回転する刃が大きい石や金属など障害物で欠けたり、破損する場合が多いこと、大切な花や、作物、樹木などを傷つけたり、刈り切る場合が多いことなど、これらを防止する刈払機の切断部構成を提供する。【解決手段】回転刃１の上面及び下面に約５ｍｍ以上突き出るような、棒状の刈りピン２を取り付け、刈りピン２は回転刃１のバランスを取りながら、複数本取り付ける。取り付け方法として、回転刃１に、硬質ゴム、コイルバネなどのスプリング及び硬質ゴムにコイルバネなどのスプリングを埋め込んだ、弾性体を介して取り付ける。また、回転刃の部分には、回転刃の外径より約１０ｍｍ以上大きい内径のリング状の金属製の際刈防護ガイド８を取り付ける。【選択図】図６
2019106979.tif 000002
【特許請求の範囲】
【請求項１】
本発明は草刈機械の刈払機の回転刃に関するものである。雑草などの根もとごと、又長い草などの刈り払いをも容易にするため、刈払機の回転刃の上面及び下面に５ｍｍ以上突き出る棒状の刈りピン２を複数本バランスよく取り付ける際に、刈りピンの曲がり、折れなどの障害を防止するため、刈りピン２を筒状のピンガイド９の内径を通して、弾性体５としてコイルバネを介して取り付けることを特徴とする回転刃。
【請求項２】
取り付け高さを調節可能にした、リング状の際刈防護ガイド８を持つ刈払機に、請求項１に記載の回転刃を装着したことを特徴とする刈払機。
【発明の詳細な説明】
【技術分野】
【０００１】本発明は雑草などを刈り払いする機械の回転刃およびそれを装着した刈払機に関するものである。
【発明の概要】
【発明が解決しようとする課題】
【０００２】草刈機械の刈払機は、動力により鋸状の刃の付いた円板状の回転刃を回転させて、草などを刈り払いするものである。
従来の刈払機には、下記のような欠点があった。
（１）長い草は刈り難い、刈った後の長い草のため作業を続けられない。
（２）また短い草の場合でも、根もとが残っているから、刈ってもすぐにまた伸びてくる。
（３）高速で回転する刃が、大きい石や金属など障害物で欠けたり、破損しやすい。
（４）また大切な花や、作物、樹木などを傷つけたり、刈り切る場合が多い。
これらを防止しながら、作業することは本来の刈り払いの作業能率を大幅に低下する。
【課題を解決するための手段】
【０００３】  上記（１）項及び（２）項の課題を解決するため、従来の回転刃１の上面及び下面に突き出るような、棒状の刈りピン２を取り付けることが有効であることを本発明者が見出した。その状態を図１及び図２に示す。刈りピン２は回転刃１のバランスを取りながら、複数本を取り付ける。
取り付け方法については、いろいろのテストの結果、回転刃に直接刈りピン２を固定すると刈りピン２が曲がったり、折れたり、あるいは回転刃１そのものが変形したりして、長時間の実用に供しえないことが分かった。そこで実際に草刈テストを実施しながら検討した結果、図２に示すように、刈りピン２を内接するピンガイド９を通して、弾性体５を介して取り付けることが有効であることが判明した。高速で回転する刈りピン２に強力な外力Ｗが加わると、生ずる衝撃を急速に変形して、加わる衝撃を吸収して緩和する衝撃吸収用の弾性体５を介して取り付けることが必要であることが分かった。そのメカニズムを図２の場合について説明する。図３のように刈りピン２に衝撃的な外力Ｗが加わると、まず刈りピン２が▲１▼に移動し、さらに強い力が加わると続いて▲２▼の点に
2019106979.tif 000003
保護される。従って図１、図２などのように刈りピン２を回転刃１に取り付けることにより、刈りピン２及び回転刃１の変形なども解消されて、長時間の刈り払い作業が可能になった。【０００４】このように、回転刃１の上面及び下面に突き出る刈りピン２は草などを刈る刃となり、周りの雑草などを刈り切る作用のあることを見出した。すなわち従来の回転刃１だけだと、水平方向のみの刈り払いであったが、本発明のように、回転刃１のその上面及び下面に突き出るように取り付けた刈りピン２は、回転刃１の上面及び下面の空間をも刈り払いすることが認められた。本発明の回転刃を用いることにより、立体的な空間の刈り払いが可能になった。
回転刃１の下部に突き出た刈りピン２は，刈り払いした草などを小さくすることと、草の根も刈り切る作用が確認され、雑草などの除去に非常に有効であることが確認された。また回転刃１の上部に突き出ている刈りピン２は長い草の刈り払いに有効である。【０００５】  本発明は、さらに、回転刃１の外径より少なくも１０ｍｍ以上大きい内径の、リング状の際刈防護ガイド８を取り付けたことを特徴とする刈り払い機である。その際刈防護ガイド８を取り付けた状態を図６に示す。この場合、使用する際刈防護ガイド８はその取り付け高さを調節可能である。取り付けるその形状をリング状にしたのは、大きい石、金属などの障害物から回転刃１を保護することと、重要な花、作物、樹木などを刈り払いしないように、保護の範囲を広くするためである。また作業者の不意の人身の事故防止上も極めて有効である。
【発明の効果】
【０００６】  本発明は、従来の回転刃１の上面及び下面に少なくても５ｍｍ以上突き出るような、棒状の刈りピン２を取り付けたことを特徴とする。その状態を図１及び図２に示す。刈りピン２は回転刃１のバランスを取りながら、複数本取り付ける。
取り付け方法については、いろいろのテストの結果、刈りピン２を回転刃１に直接固定してしまうと、ピンに加わる衝撃のため、すぐ破損して、実用に耐えられない。【０００７】  そこで実際の草刈テストを実施ながら検討した結果、図１、図２などのように、刈りピン２を内接する弾性体を介して取り付けることが有効であることが判明した。高速で回転する刈りピン２に強力な外力が加わると、生ずる衝撃を急速に変形して、その衝撃を吸収して緩和する衝撃吸収用の弾性体５を介して取り付けることが必要であることが分かった。そのメカニズムは先に説明したとおりである。従って図１、図２などのように刈りピンを回転刃１に取り付けることにより、刈りピン２及び回転刃１の変形なども解消されて、長時間の刈り払い作業が可能になった。
使用する弾性体５としては、図２に示すように、ピンガイド９の内径に内接して、コイルバネを介して、刈りピンを取り付けることが望ましい。又使用するピンガイド９の内径断面により、図４に示すようにいろいろ考えられる。又さらに望ましいのは、弾性体として、図５に示すような、硬質ゴムにコイルバネを埋め込んだもの、すなわち硬質ゴムとスプリングの特性を併用することが優れた性能を示すことが確認されている。【０００８】  回転刃１の下部に突き出た刈りピン２は，刈り払いした草などを小さくすることと、草の根をも刈り切る作用が確認され、雑草などの除去に非常に有効であることが確認された。また回転刃１の上部に突き出ている刈りピン２は長い草の刈り払いに有効で、一度刈り払いされた草が、次第に小さく切られて、長い草が生えているところでも、刈り払い作業が続けられる利点がある。また葛など蔓状のものが絡み合った雑草などの刈り払いには特に適している。【０００９】  本発明の特徴の一つは上記のように、回転刃１にその上面及び下面にある一定の長さ，望ましくは５ｍｍ以上が突き出るように、棒状の刈りピン２を複数本、バランスよく取り付けた回転刃１を装着し、その回転刃１の外径より少なくも１０ｍｍ以上大きい、内径のリング状の際刈防護ガイド８を取り付けたことを特徴とする。金属製のリングが望ましい。その際刈防護ガイド８はその取り付け高さを調整できるものである。大きい石や金属などの障害物から回転刃を保護することと、重要な花、作物、樹木などを傷つけたり、刈り払いしないように、保護の範囲を広くするため、回転刃１の外径よりより大きい内径で、その形状がリング状の際刈防護ガイド８を取り付け、際刈の作業性を改善し、作業能率を大幅に改善したことを特徴とする刈払機である。【００１０】  上記のように、回転刃１の上面及び下面に突き出た刈りピン２を取り付けた回転刃１とリング状の際刈防護ガイド８を取り付けた本発明による刈払機は、従来の機械に比較し、雑草など根こそぎ刈り取ることも可能になったこと。そのため除草の管理が容易になったこと。また長い草の場合で除草作業が容易になった。さらに葛などの蔓状のものが絡み合った雑草の場合でも容易に刈り払いが出来るようになった。またリング状の際刈防護ガイド８を取り付けることにより、大きい石、金属などの障害物からの回転刃１を保護し、刃の寿命が相当に改善される。さらに重要な花や、作物、樹木に傷付けまたは切り倒すことなども防ぐことができ、作業性も大幅に改善され、除草作業の能率が改善され除草時間が大幅に短縮されることが確認された。
以上のように、本発明の効果は極めて大きい。
【図面の簡単な説明】
【図１】刈払機の回転刃１に刈りピン２及びリング状際刈防護ガイド８を取り付けた場合の組立て状態を示す模式図
【図２】刈払機の回転刃１に刈りピン２を取り付けるに際し、弾性体５をコイルバネにした場合の組立図と組み立てに用いる部品を示す図
【図３】刈払機の回転刃１に刈りピン２を取り付けるに際し、弾性体としてコイルバネを介して取り付けた場合に、刈りピン２に加わる外力と衝撃を緩和するメカニズムを説明する図
【図４】刈払機の回転刃１に刈りピン２を取り付けるに際し、コイルバネを取り付ける際のピンガイド９の内径孔の断面形状を示す図
【図５】刈払機の回転刃１に刈りピン２を取り付けるに際し、コイルバネを硬質ゴムに埋め込んだものを用いて取り付ける際の組立の例を示す図
【図６】リング状際刈防護ガイド８の取り付け高さを調整可能にした刈払機に本発明の上面及び下面に棒状の刈りピン２を取り付けた回転刃１を装着した刈り払い機の組立図
【００１１】  実施例
市販のエンジン駆動式の回転刃、外径２５５ｍｍの刈払機を用い、図２に示す本発明の刈りピン２の外径６ｍｍ、長さ５０ｍｍの金属製のものを用い、図２に示すように取り付けた。回転刃１に弾性体５としてコイルバネを介して、取り付け、刈りピン２が回転刃の下部に、全体で、約３０ｍｍ、上部に約２０ｍｍ突き出るようにし、バランスを考え、９０度の間隔を持つように、４本取り付けた。刈りピン２の取り付けの中心線の径は約１８０ｍｍである。
刈り切る草の状態などにもよるが、刈りピン２の外径は５〜８ｍｍ程度が良く、刈りピン２の回転刃の下部に突き出る長さは、１５〜３０ｍｍ程度が望ましく、又回転刃の上部に突き出る長さは２５〜５０ｍｍが望ましい。刈りピン２の材質は、金属製が望ましく、その表面は硬く、剛性の強いものが望ましい。また刈りピン２を組み立てる時に用いる刈ピン２に障害物の衝撃が加わった時に、ピンが動きやすくするために用いる弾性体は刈りピンに加わる衝撃を吸収して、ピンの破損を防止することと、ピンが元の位置に復帰しやすくする作用もあり、非常に大きな効果がある。そのため刈りピン２は強い外力が加わった場合でも、刈りピン２は損傷することなく、保護され、回転刃１の変形も回避される。弾性体の材質は、硬質のゴム、コイルバネなどのスプリング及び硬質ゴムの中にコイルバネを埋め込んだ弾性体も優れた特性があることが確認されている。その弾性体の、その材質は制限するものでない。【００１２】リング状の際刈防護ガイド８を用いることにより、回転刃１を石や金属の障害物から守る範囲が広くなり、回転刃１の保護と、大切な花、作物、樹木に傷つけることなく、草刈りが円滑に出来、除草作業がやり易くなり、作業能率が上がり、作業時間を大幅に短縮可能である。リングの大きさは、基本的には、回転刃の外径より大きければよいのであるが、少なくとも回転刃１の外径より１０ｍｍ以上８０ｍｍ程度大きいことが望ましい。その際刈防護ガイド８のリングの太さは、その材質などにもよるが５〜８ｍｍ程度のものが望ましい。。材質は金属製が望ましいが、鉄芯入りのプラスチックなどでも使用可能である。【００１３】  上記の段落［０００１］および段落［０００２］で説明したように、刈りピン２を取り付けた回転刃１および際刈防護ガイド８を取り付け、図１及び図２のように組み立てた、刈払機を用い、従来の機械と実際の草刈りの比較テストを種々実施した。その結果、本発明による機械の場合には、短い雑草の場合には、従来機に比較し、刈り切られた草が細かくなり、しかも刈り跡は草の根がのこらず、完全に草が根ごと刈り取られる状態になった。【００１４】  次に草丈が約３０ｃｍ位の長い雑草の生えているところでテストした。その結果、従来の機械では、作業性が悪く、続けて作業を行うことができなかった。それに対し本発明の刈払機の場合には、長い草の場合でも、刈り払いを続けて行うことが出来、しかも刈り切られる雑草が短くなり、作業性が大幅に優れていることが確認された。草丈がさらに長く、葛などの蔓が絡み合った雑草の場合には、従来の機械では刈り払いが継続してできなかった。ところが本発明による機械の場合には、容易に継続して刈り払いが可能であった。
またリング状の際刈防護ガイド８を設置してある本発明の場合には、石や金属の大きな障害物から回転刃を確実に防御するため、機械を左右、前後自由に動かすことが出来る。また大切な花や、作物、樹木に傷つける心配もなく、作業能率がよく、除草が短時間で済むようになった。
【図１】
2019106979.tif 000004
【図２】
2019106979.tif 000005
【図３】
2019106979.tif 000006
【図４】
2019106979.tif 000007
【図５】
2019106979.tif 000008
【図６】
2019106979.tif 000009